(57)【特許請求の範囲】
【請求項１】
上板部およびこの上板部の両側に側板部を有する断面ほぼコ字状に形成され、両側板部には複数のビート部が長手方向に沿って形成されるとともに上板部側に近い１つのビート部の端部に規制突部が形成された器具本体と、
この器具本体の端部に配置され、前記器具本体の側板部の内側に対向される支持片部およびこの支持片部の下端から側板部の外方へ向けて突出されるソケット取付片部を有するほぼＬ字状に形成され、支持片部の上縁部に前記器具本体の上板部に回動可能に支持される支持部が形成されるとともに、支持片部の器具端部側の縁部に前記規制突部と係合して回動範囲を規制する規制孔を有する規制片部が形成されたソケット取付具と、
このソケット取付具のソケット取付片部に取り付けられるランプソケットと、
前記器具本体に取り付けられ、器具本体の長手方向と直交方向に傾斜した反射面を有するとともに、この反射面の端部に前記ランプソケットを突出させるソケット孔が形成された反射板と
を具備していることを特徴とする照明器具。
【請求項２】
ソケット取付具の支持片部の両側縁部から対向する器具本体の側板部に向けて突出する当接片部が形成され、器具端部側の縁部の当接片部に規制片部が形成されたことを特徴とする請求項１記載の照明器具。
【請求項３】
ソケット取付具のソケット取付片部の器具端部側とは反対側の縁部に折曲片部が立ち上げ形成され、この折曲片部とソケット取付片部に取り付けられたランプソケットとの間にコード引出口が形成されたことを特徴とする請求項１または２記載の照明器具。
【請求項４】
器具本体の側板部にソケット取付具の折曲片部が係合する切欠部が形成されたことを特徴とする請求項３記載の照明器具。
【発明の詳細な説明】
【０００１】
【発明の属する技術分野】
本発明は、例えば逆富士形照明器具などの、器具本体にソケット取付具を回動可能に支持した照明器具に関する。
【０００２】
【従来の技術】
従来、照明器具としては、例えば、特公平４−１４４１号公報に記載されているように、２灯用の逆富士形照明器具がある。
【０００３】
このような照明器具では、器具本体の両端に、ランプソケットが取り付けられるソケット取付金具を回動可能に取り付けている。これは、器具本体に取り付けられる反射板が断面ほぼＶ字状に形成されているため、この反射板の傾斜状の反射面に形成したソケット孔にランプソケットを挿通させて取り付けるのに、ソケット取付金具を回動させる必要があることによる。
【０００４】
この照明器具の器具本体は、上板部およびこの上板部の両側に側板部を有する断面ほぼコ字状に形成され、両側板部の先端の１箇所にはビート部が長手方向に沿って形成されている。
【０００５】
また、ソケット取付金具は、器具本体の側板部の内側に対向される板状の支持片部およびこの支持片部の下端から側板部の外方へ向けて突出されるソケット取付片部を有するほぼＬ字状に形成され、支持片部の上縁部に器具本体の上板部に回動可能に支持される支持部が形成されるとともに、支持片部の器具端部側の縁部に規制突部と係合して回動範囲を規制する規制孔を有する規制片部が形成されている。
【０００６】
【発明が解決しようとする課題】
しかしながら、従来の技術では、例えば１１０Ｗの直管形蛍光ランプを使用するような長くて重い照明器具の場合、器具本体が強固な構造でないと、器具輸送時、器具本体の取付施工時、直管形蛍光ランプの取付時などに、器具本体に変形が生じて寸法が狂い、器具本体に対してソケット取付金具が回動しにくくなるなどの支承が生じ、反射板の取付作業性が低下する問題がある。
【０００７】
また、ランプソケットの配線コードが器具本体の側板部とソケット取付具の支持片部やソケット取付片部との間に挟まったり、配線コードが器具本体の側板部に当たってその摩擦抵抗により、器具本体に対してソケット取付具が回動しにくくなるなどの支承が生じ、反射板の取付作業性が低下する問題がある。
【０００８】
本発明は、このような点に鑑みなされたもので、器具本体の強度を向上させるとともに、ランプソケットの配線コードの処理を改善し、器具本体に対してソケット取付具が確実に回動できるようにし、反射板の取付作業性の低下を防止できる照明器具を提供することを目的とする。
【０００９】
【課題を解決するための手段】
請求項１記載の照明器具は、上板部およびこの上板部の両側に側板部を有する断面ほぼコ字状に形成され、両側板部には複数のビート部が長手方向に沿って形成されるとともに上板部側に近い１つのビート部の端部に規制突部が形成された器具本体と、この器具本体の端部に配置され、前記器具本体の側板部の内側に対向される支持片部およびこの支持片部の下端から側板部の外方へ向けて突出されるソケット取付片部を有するほぼＬ字状に形成され、支持片部の上縁部に前記器具本体の上板部に回動可能に支持される支持部が形成されるとともに、支持片部の器具端部側の縁部に前記規制突部と係合して回動範囲を規制する規制孔を有する規制片部が形成されたソケット取付具と、このソケット取付具のソケット取付片部に取り付けられるランプソケットと、前記器具本体に取り付けられ、器具本体の長手方向と直交方向に傾斜した反射面を有するとともに、この反射面の端部に前記ランプソケットを突出させるソケット孔が形成された反射板とを具備していることを特徴とする。そして、器具本体の両側板部に長手方向に沿って形成された複数のビート部によって器具本体の強度が向上し、器具本体に対するソケット取付具の回動が確実になる。しかも、上板部に近いビート部に規制突部が形成されているので、先端側のビート部に規制突部を形成するとした場合に比べて、その規制突部と係合する規制片部および規制片部を有するソケット取付具が大形化するのが防止される。
【００１０】
請求項２記載の照明器具は、請求項１記載の照明器具において、ソケット取付具の支持片部の両側縁部から対向する器具本体の側板部に向けて突出する当接片部が形成され、器具端部側の縁部の当接片部に規制片部が形成されたことを特徴とする。そして、当接片部により支持片部と側板部との間に間隙があけられ、配線コードなどの挟み込みが防止されるとともに、ソケット取付具の強度が向上される。
【００１１】
請求項３記載の照明器具は、請求項１または２記載の照明器具において、ソケット取付具のソケット取付片部の器具端部側とは反対側の縁部に折曲片部が立ち上げ形成され、この折曲片部とソケット取付片部に取り付けられたランプソケットとの間にコード引出口が形成されたことを特徴とする。そして、ランプソケットに接続された配線コードがコード引出口から器具本体の長手方向に沿って引き出され、配線コードが器具本体とソケット取付具との間に挟み込まれたり器具本体の側板部に接触しない。
【００１２】
請求項４記載の照明器具は、請求項３記載の照明器具において、器具本体の側板部にソケット取付具の折曲片部が係合する切欠部が形成されたことを特徴とする。そして、切欠部によりソケット取付具の回動がガイドされるとともに、器具本体に対する位置決めとしても機能される。
【００１３】
【発明の実施の形態】
以下、本発明の照明器具の一実施の形態を図面を参照して説明する。
【００１４】
図３および図５に示すように、照明器具は、２本の直管形の蛍光ランプＬを使用する２灯用の逆富士形照明器具であり、器具本体11、ソケット取付具12、ランプソケット13、反射板14などを備えている。
【００１５】
器具本体11は、蛍光ランプＬの長手方向に沿って細長く、上板部21およびこの上板部21の両側に側板部22を有する断面ほぼコ字状に形成されている。上板部21には、天井面などの器具取付面23に接合する複数の膨出部24が上方に突出形成されている。さらに、図１ないし図４に示すように、上板部21の両端部近傍には、両側板部22の近傍位置に一対の引掛孔25が側板部22と平行に形成されている。
【００１６】
両側板部22には、中間部と下端部に２条のビート部26，27が器具長手方向に沿って形成され、上側のビート部26は側板部22の外面側に半円環状に突出形成され、下側のビート部27は側板部22の外面側に環状に屈曲形成されている。上側のビート部26の端部の部分を除く側板部22の端部には切欠部28が形成され、その切欠部28から突出する上側のビート部26の端部に規制突部29が形成されている。さらに、下側のビート部27の端部近傍には、ソケット取付具12の後述する折曲片部40が係合するスリット状の切欠部30が形成されている。
【００１７】
また、ソケット取付具12は、器具本体11の両端部の両側にそれぞれ取り付けられ、その器具本体11の両側で対称的な構造に形成されている。ソケット取付具12は、器具本体11の側板部22の内側に対向される支持片部31を有するとともに、この支持片部31の下端から側板部22の外方へ向けて突出されるソケット取付片部32を有し、ほぼＬ字状に形成されている。
【００１８】
支持片部31の上縁部には、支持部としての一対の引掛部33が支持片部31の内面側にほぼ直角に折曲形成され、この一対の引掛部33間に接合片部34が引掛部33とは反対方向の支持片部31の外面側にほぼ直角に折曲形成されている。引掛部33は器具本体11の上板部21の一対の引掛孔25に引っ掛けられてソケット取付具12を回動可能に支持し、接合片部34は上板部21に当接して一対の引掛部33との間で上板部21を挟持する。
【００１９】
支持片部31の両側縁部には、対向する器具本体11の側板部22に向けて、すなわち支持片部31の外面側に当接片部35がほぼ直角に折曲形成されている。器具端部側の当接片部35には器具本体11の切欠部28に係合する規制片部36が形成され、この規制片部36に規制突部29と係合してソケット取付具12の回動範囲を規制する規制孔37が形成されている。
【００２０】
ソケット取付片部32には、器具端部側とは反対側の縁部に開口してランプソケット13が差し込み嵌合されるソケット取付溝38が形成され、器具長手方向の両縁部および先端縁部から折曲片部39，40，41がそれぞれ立ち上げ形成されている。折曲片部40にはソケット取付溝38に取り付けられたランプソケット13との間に開口するコード引出口42が形成され、このコード引出口42の上縁部からソケット取付溝38の上方に縁片部43が折曲形成されている。
【００２１】
また、ランプソケット13は、ソケット本体51を有し、このソケット本体51の内端面に蛍光ランプＬの口金部を接続するランプ接続部52が突設され、ソケット本体51の上部にはソケット取付具12のコード引出口42を通じてソケット取付片部32に取り付けられる取付台部53が形成されている。取付台部53の両側縁にはソケット取付溝38の両側縁部に係合する溝部54が形成され、取付台部53の上面には複数の配線コード55が接続されている。配線コード55はコード引出口42を通じて引き出される。
【００２２】
また、反射板14は、断面ほぼＶ字状の逆富士形に形成され、その頂部を中心とする両側に器具本体11の長手方向と直交方向に傾斜した反射面61が形成され、両端面には端板62が形成されている。各反射面61の両端部には、ランプソケット13を突出させるソケット孔63が形成されている。反射板14の頂部には、器具本体11に被着された反射板14を器具本体11に固定する複数の取付ねじ64が挿通される。
【００２３】
次に、本実施の形態の作用を説明する。
【００２４】
器具本体11にソケット取付具12が取り付けられた状態では、ソケット取付具12の引掛部33が器具本体11の引掛孔25に引っ掛けられて、その引掛部分を支点としてソケット取付具12が回動可能に支持されている。規制片部36の規制孔37が器具本体の規制突部29に係合され、ソケット取付具12の回動範囲が規制されている。ソケット取付具12の折曲片部40が器具本体11の切欠部30に係合されている。ソケット取付具12のソケット取付片部32に取り付けられたランプソケット13の配線コード55がコード引出口42から引き出され、器具本体11内に取り付けられる図示しない点灯装置に接続されている。
【００２５】
そして、照明器具の施工時には、まず、図３に示すように、器具本体11を器具取付面23に固定する。この状態では、ソケット取付具12がそのソケット取付具12およびランプソケット13の自重により器具本体11の内方に向けて回動し、ランプソケット13の先端部が下方へ向く。この状態で、規制孔37の縁部が規制突部29に当接してソケット取付具12の回動が規制されている。
【００２６】
反射板14を器具本体11の下方から押し上げ、下方へ向く各ランプソケット13の先端をソケット孔63に挿通させる。押し上げられる反射板14が器具本体11に近付くにしたがって、ソケット孔63の頂部側の縁部でランプソケット13が外方へ押されて、ソケット取付具12およびランプソケット13が外方へ回動されていく。
【００２７】
反射板14をさらに押し上げ、反射板14で器具本体11を覆い、反射板14の上縁部を器具取付面23に接合させる。この状態で、図５に示すように、ソケット取付具12のソケット取付片部32が反射板14の反射面61とほぼ平行になり、反射板14のソケット孔63から突出するランプソケット13は反射面61に対してほぼ垂直に突出する。
【００２８】
取付ねじ64を反射板14を通じて器具本体11側の図示しない反射板取付金具に螺着し、反射板14を器具取付面23に固定する。
【００２９】
以上のように構成された照明器具では、器具本体11の両側板部22に複数のビート部26，27を長手方向に沿って形成しているので、器具本体11の強度を向上させ、器具輸送時、器具本体の取付施工時および直管形蛍光ランプの取付時などにおける器具本体11の変形を低減できる。そのため、器具本体11に対してソケット取付具12を確実に回動させることができ、反射板14の取付作業性を良好にできる。しかも、上側のビート部26に規制突部29を形成しているので、下側のビート部27に規制突部を形成するとした場合に比べて、その規制突部29と係合する規制片部36および規制片部36を有するソケット取付具12が大形化するのを防止できる。
【００３０】
また、ソケット取付具12の支持片部31の上縁部に一対の引掛部33とは反対方向に折曲される接合片部34を形成したので、支持片部31の強度を向上させることができるとともに、接合片部34と一対の引掛部33との間で上板部21を挟持して、器具本体11の引掛孔25の付近の変形を防止することができる。
【００３１】
また、ソケット取付具12の支持片部31の両側縁部から対向する器具本体11の側板部22に向けて突出する当接片部35を形成したので、支持片部31と側板部22との間に間隙をあけて配線コード55などを挟み込むのを防止できるとともに、ソケット取付具12の強度を向上させることができる。
【００３２】
また、ソケット取付具12のソケット取付片部32の器具本体11側とは反対側の縁部に折曲片部40を立ち上げ形成し、この折曲片部40とソケット取付片部32に取り付けられたランプソケット13との間にコード引出口42を形成したので、ランプソケット13に接続された配線コード55をコード引出口42から器具本体11の長手方向に沿って引き出し、配線コード55を器具本体11とソケット取付具12との間に挟み込んだり器具本体11の側板部22に接触させることがなく、器具本体11に対してソケット取付具12を確実に回動させることができ、反射板14の取付作業性を良好にできる。
【００３３】
また、器具本体11の側板部22にソケット取付具12の折曲片部40が係合する切欠部30を形成したので、この切欠部30によりソケット取付具12の回動をガイドできるとともに、器具本体11に対する位置決めとしても機能させることができる。
【００３４】
【発明の効果】
請求項１記載の照明器具によれば、器具本体の両側板部に複数のビート部を長手方向に沿って形成しているので、器具本体の強度を向上させ、器具本体の変形を低減できる。そのため、器具本体に対してソケット取付具を確実に回動させることができ、反射板の取付作業性を良好にできる。しかも、上板部に近いビート部に規制突部を形成しているので、先端側のビート部に規制突部を形成するとした場合に比べて、その規制突部と係合する規制片部および規制片部を有するソケット取付具が大形化するのを防止できる。
【００３５】
請求項２記載の照明器具によれば、請求項１記載の照明器具の効果に加えて、ソケット取付具の支持片部の両側縁部から対向する器具本体の側板部に向けて突出する当接片部を形成したので、支持片部と側板部との間に間隙をあけて配線コードなどを挟み込むのを防止できるとともに、ソケット取付具の強度を向上させることができる。
【００３６】
請求項３記載の照明器具によれば、請求項１または２記載の照明器具の効果に加えて、ソケット取付具のソケット取付片部の器具端部側とは反対側の縁部に折曲片部を立ち上げ形成し、この折曲片部とソケット取付片部に取り付けられたランプソケットとの間にコード引出口を形成したので、ランプソケットに接続された配線コードをコード引出口から器具本体の長手方向に沿って引き出し、配線コードを器具本体とソケット取付具との間に挟み込んだり器具本体の側板部に接触させることがなく、器具本体に対してソケット取付具を確実に回動させることができ、反射板の取付作業性を良好にできる。
【００３７】
請求項４記載の照明器具によれば、請求項３記載の照明器具の効果に加えて、器具本体の側板部にソケット取付具の折曲片部が係合する切欠部を形成したので、この切欠部によりソケット取付具の回動をガイドできるとともに、器具本体に対する位置決めとしても機能させることができる。
【図面の簡単な説明】
【図１】本発明の照明器具の一実施の形態を示す一部の斜視図である。
【図２】同上実施の形態の照明器具の一部の斜視図である。
【図３】同上実施の形態の照明器具の組立過程を示す断面図である。
【図４】同上実施の形態の器具本体の一部の斜視図である。
【図５】同上実施の形態の照明器具の組立状態の斜視図である。
【符号の説明】
11    器具本体
12    ソケット取付具
13    ランプソケット
14    反射板
21    上板部
22    側板部
26，27    ビート部
29    規制突部
30    切欠部
31    支持片部
32    ソケット取付片部
33    支持部としての引掛部
35    当接片部
36    規制片部
37    規制孔
40    折曲片部
42    コード引出口
61    反射面
63    ソケット孔
【図１】
0003755542.tif 000002
【図２】
0003755542.tif 000003
【図３】
0003755542.tif 000004
【図４】
0003755542.tif 000005
【図５】
0003755542.tif 000006